(57)【特許請求の範囲】
【請求項１】
物質を投与するための投与器であって、
バイアルと、
前記バイアルは、内部に前記物質を内蔵する空洞を持つ実質的に円形のベースと、前記ベースから外側に伸長しそして前記ベースの空洞と連通する導管を画定する突出部位と、を有し、
添加器チップと、
前記添加器チップは、部分的に前記導管に沿って配置され、前記ベースの空洞と連通する少なくとも１つの内部通路を有し、
前記添加器チップは前記導管の前側に配置される添加器部位を有し、
前記添加器部位は遠位の添加面に複数の分離した突起を有し、
キャップと、    
前記キャップは、開口部と、前記開口部と連通する空洞と、及び前記キャップの空洞内に前記開口部方向に伸長する密封止めと、を有し、
前記キャップは前記バイアルに脱着可能であり、
前記バイアルに取り付けられた場合、前記キャップの空洞は前記添加器チップの前記添加器部位を収容し、
前記キャップが前記添加器チップの前記少なくとも１つの内部通路を密封するように、前記密封止めが前記少なくとも１つの内部通路内に伸長し、
を有し、
それにより前記キャップが前記バイアルから取り外され、前記ベースが絞られた場合、前記ベースの空洞内の前記物質が前記ベースの空洞から前記添加器チップの前記少なくとも１つの内部通路を通って前記突起に押し出され、
前記ベースは環状のリムと主要部位からなり、前記主要部位は前記ベースの空洞を画定し、そして前記リムの対向する部位から分離して配置され、前記突出部位は前記リムから外側に伸長する、
ことを特徴とする投与器。
【請求項２】
物質を投与するための投与器であって、
バイアルと、
前記バイアルは、内部に前記物質を内蔵する空洞を持つ実質的に円形のベースと、前記ベースから外側に伸長しそして前記ベースの空洞と連通する導管を画定する突出部位と、を有し、
添加器チップと、
前記添加器チップは、部分的に前記導管に沿って配置され、前記ベースの空洞と連通する少なくとも１つの内部通路を有し、
前記添加器チップは前記導管の前側に配置される添加器部位を有し、
前記添加器部位は遠位の添加面に複数の分離した突起を有し、
キャップと、    
前記キャップは、開口部と、前記開口部と連通する空洞と、及び前記キャップの空洞内に前記開口部方向に伸長する密封止めと、を有し、
前記キャップは前記バイアルに脱着可能であり、
前記バイアルに取り付けられた場合、前記キャップの空洞は前記添加器チップの前記添加器部位を収容し、
前記キャップが前記添加器チップの前記少なくとも１つの内部通路を密封するように、前記密封止めが前記少なくとも１つの内部通路内に伸長し、
を有し、
それにより前記キャップが前記バイアルから取り外され、前記ベースが絞られた場合、前記ベースの空洞内の前記物質が前記ベースの空洞から前記添加器チップの前記少なくとも１つの内部通路を通って前記突起に押し出され、
前記添加器チップの前記少なくとも１つの内部通路は、前記添加器チップの近位端から遠位方向に伸長する第１の通路と、前記添加器チップの遠位端にある第２の通路と、を有し、前記第２の通路はほぼ中間で交差する長軸と短軸により画定される断面を有し、前記キャップは、前記第２の通路と実質的に同じ断面形状を有し、前記キャップが前記バイアルに取り付けられる場合に前記第２の通路に進入するように配置される密封止めを有する、
ことを特徴とする投与器。
【請求項３】
前記投与器チップが部分的に前記導管内に配置される、ことを特徴とする請求項１または２に記載の投与器。
【請求項４】
前記突起は、狭間を設けた指状部位からなる、ことを特徴とする請求項１または２に記載の投与器。
【請求項５】
前記添加器チップはシリコンから出来ており、前記バイアルはポリプロピレンから出来ている、ことを特徴とする請求項１または２に記載の投与器。
【請求項６】
前記キャップは、実質的に円形で、そして前記投与器が８の字をなすよう前記ベースに取り付けられるように構成される、ことを特徴とする請求項１または２に記載の投与器。
【請求項７】
前記キャップは、脱着可能に前記キャップを前記バイアルに係止するための係止機構を有する、ことを特徴とする請求項１または２に記載の投与器。
【請求項８】
前記バイアルの前記突出部位は、前記キャップが前記バイアルに取り付けられている場合に、前記キャップの前記開口部を通って前記キャップの空洞に進入するように配置され、それにより前記突出部位の少なくとも一部が前記キャップの空洞に収容される、ことを特徴とする請求項１または２に記載の投与器。
【請求項９】
物質を投与するための投与器であって、
バイアルと、
前記バイアルは、内部に前記物質を内蔵する空洞を画定し、ベースと、前記ベースから外側に伸長する突出部位と、を有し、
前記突出部位は、前記ベースの空洞と連通する導管を有し、
添加器チップと、
前記添加器チップは、部分的に前記導管内に配置され前記ベースの空洞と連通する少なくとも１つの内部通路を有し、
前記添加器チップは、前記導管の外側に配置されゴム状材料から作られる添加器部位を有し、
前記添加器部位は、遠位の添加面に複数の分離した突起を有し、
キャップと、を有し 
前記キャップは、開口部と、前記開口部と連通する空洞と、を有し、
前記キャップは前記バイアルに脱着可能に取り付け可能であり、そして、
前記バイアルに取り付けられた場合、前記キャップの空洞は前記添加器チップの前記添加器部位を収容して、前記キャップが前記添加器チップの前記少なくとも１つの内部通路を密封し、
それにより前記キャップが前記バイアルから取り外され、前記ベースが絞られた場合、前記ベースの空洞内の前記物質が前記ベースの空洞から前記添加器チップの前記少なくとも１つの内部通路を通って前記突起に押し出され、
前記ベースは実質的に円形であり、そして環状のリムと主要部位を有し、前記主要部位は前記ベースの空洞を画定し、そして前記リムの対向する部位から分離して配置され、前記突出部位は前記リムから外側に伸長する、
ことを特徴とする投与器。
【請求項１０】
物質を投与するための投与器であって、
バイアルと、
前記バイアルは、内部に前記物質を内蔵する空洞を画定し、ベースと、前記ベースから外側に伸長する突出部位と、を有し、
前記突出部位は、前記ベースの空洞と連通する導管を有し、
添加器チップと、
前記添加器チップは、部分的に前記導管内に配置され前記ベースの空洞と連通する少なくとも１つの内部通路を有し、
前記添加器チップは、前記導管の外側に配置されゴム状材料から作られる添加器部位を有し、
前記添加器部位は、遠位の添加面に複数の分離した突起を有し、
キャップと、を有し、 
前記キャップは、開口部と、前記開口部と連通する空洞と、を有し、
前記キャップは前記バイアルに脱着可能に取り付け可能であり、そして、
前記バイアルに取り付けられた場合、前記キャップの空洞は前記添加器チップの前記添加器部位を収容して、前記キャップが前記添加器チップの前記少なくとも１つの内部通路を密封し、
それにより前記キャップが前記バイアルから取り外され、前記ベースが絞られた場合、前記ベースの空洞内の前記物質が前記ベースの空洞から前記添加器チップの前記少なくとも１つの内部通路を通って前記突起に押し出され、
前記添加器チップの前記少なくとも１つの内部通路は、前記添加器チップの近位端から遠位方向に伸長する第１の通路と、前記添加器チップの遠位端にある第２の通路と、を有し、前記第２の通路はほぼ中間で交差する長軸と短軸により画定される断面を有し、前記キャップは、前記第２の通路と実質的に同じ断面形状を有し、前記キャップが前記バイアルに取り付けられる場合に前記第２の通路に進入するように配置される密封止めを有する、
ことを特徴とする投与器。
【請求項１１】
前記添加器チップは更に前記突出部位の前記導管内に配置される係止部位を有し、前記係止部位は、前記導管を画定する内部表面に接触する外部表面を有する、ことを特徴とする請求項９または１０に記載の投与器。
【請求項１２】
前記突起は、狭間を設けた指状部位からなる、ことを特徴とする請求項９または１０に記載の投与器。
【請求項１３】
前記ベース及び前記キャップは、実質的に円形で、そして前記キャップは前記投与器が８の字をなすよう前記ベースに取り付けられるように構成される、ことを特徴とする請求項９または１０に記載の投与器。
【請求項１４】
前記キャップは、脱着可能に前記キャップを前記バイアルに係止するための係止機構を有する、ことを特徴とする請求項９または１０に記載の投与器。
【請求項１５】
前記バイアルの前記突出部位は、前記キャップが前記バイアルに取り付けられている場合に、前記キャップの前記開口部を通って前記キャップの空洞に進入するように配置され、それにより前記突出部位の少なくとも一部が前記キャップの空洞に収容される、ことを特徴とする請求項９または１０に記載の投与器。
【請求項１６】
物質を投与するための投与器を製造する方法であって、
ブロー成型によりバイアルを形成するステップと、
ここに前記バイアルは、内部に空洞を有する実質的に円形のベースと、前記ベースから外側に伸長し、前記ベースの空洞と連通する導管を画定する突出部位と、を有し、
係止部位と添加器部位からなる添加器チップをゴム状材料から形成するステップと、
前記係止部位は少なくとも１つの内部通路を画定し、前記添加器部位は少なくとも１つの内部通路を画定し、そして複数の分離した突起を遠位の添加面に有し、
前記添加器チップの前記係止部位を前記バイアルの前記突出部位の前記導管内に挿入するステップと、
前記添加器チップの前記係止部位が前記バイアルの前記突出部位の前記導管に挿入された時に、摩擦係合するように、前記添加器チップの前記係止部位と前記バイアルの前記突出部位の前記導管の寸法を形成するステップと、
開口部と、前記開口部と連通する空洞と、前記開口部に向かって前記キャップの空洞内に伸長する密封止めと、を有するキャップを形成するステップと、
前記ベースの空洞に前記物質を充填するステップと、
前記キャップの空洞が少なくとも前記添加器チップの前記添加器部位を内蔵し、そして前記密封止めが前記添加器部位の前記少なくとも１つの内部通路内に伸長し、それにより前記キャップが前記添加器部位の前記少なくとも１つの内部通路を密封するように、脱着可能に前記キャップを前記バイアルに取り付けるステップと、
を有することを特徴とする方法。
【請求項１７】
前記突起を、狭間を設けた指状部位として形成するステップをさらに有する、ことを特徴とする請求項１６に記載の方法。
【請求項１８】
前記キャップが前記ベースに取り付けられた時に前記投与器が８の字をなすように、前記キャップを実質的に円形に形成するステップをさらに有する、ことを特徴とする請求項１６に記載の方法。
【発明の詳細な説明】
【技術分野】
【０００１】
本発明は、一般的に投与可能な物質を体の構造の一部のようなある基質上に送達するバイアル、およびこのようなバイアルから物質を基質上に添付する方法に関するものである。本発明は特に、物質を歯に送達するバイアル、及び歯の治療法に関する。バイアルを使用する歯科治療は、限定されないが、歯のホワイトニング（白化）、歯の除感作、及び歯周病予防治療を含む。
【背景技術】
【０００２】
皮膚状況の治療のため又は医療目的で皮膚に侵入させるため、外用薬をバイアルから皮膚に送達することは既知である。同様に歯の白化ゲル組成物をバイアルから送達することも既知である。
例えば、特許文献１は、歯の白化剤添加器及びその方法を開示している。添加器は従来型のガラスアンプルで、アンプル内の室内に歯の白化剤溶液が真空密封されている。白化剤溶液は、白化処方を含む流体ベースのゲルである。
【０００３】
さらに特許文献２は、歯の白化組成物のような流体に対する投与器及び添加器であって、内室と内室内の流体が完全密封されるように最初は密封されている開口部を有する容器と、容器上の開口部の上方に搭載されシールを覆う多孔性の添加器と、添加器と開口部を覆い、容器に対して移動可能で、穿孔部材を有する蓋と、からなる。蓋は穿孔部材がシールから離れている位置から、穿孔部材が添加器を通過してシールを穿孔する位置まで移動可能である。多孔の添加器は穿孔部材を受け入れるような寸法の開口部を有する。穿孔部材はシールから離れている時は開口内に配置され、そして多孔添加器は、穿孔部材が開口部から取り除かれた時に流体が開口部から流れ出ないように十分に高密度の材料から出来ている。
【０００４】
歯の白化組成物又は他の外用物質の手持ち投与器に関する従来技術が特許文献３，４，５及び６に記載されている。  
【先行技術文献】
【特許文献】
【０００５】
【特許文献１】米国特許７，２０１，５７７
【特許文献２】米国特許７，５９７，４９７
【特許文献３】米国特許申請公報２００３／０１９８９１８
【特許文献４】米国特許３，９７２，３３１
【特許文献５】米国特許４，９２７，２８３
【特許文献６】米国特許５，３０７，９５３
【発明の概要】
【０００６】
本発明の１局面は、柔軟な可塑性のバイアルである。バイアルの１端は好適には閉じられており、他の端は栓をされている。栓をされた端は栓が引き出された時は開く。これによりバイアルの中身が通路を通って絞り出され、そして添加器に注ぎ出されることが可能になる。
【０００７】
格納された相対位置では柔軟なバイアルの開口端を閉じ、外された相対位置では柔軟なバイアルの開口端を開放する結合構造体がある。バイアルは部分的に柔軟であり、バイアルの柔軟な部分が手動の絞り圧力により曲がるため、手動の絞り出し圧力のもと内部容積を縮め、それにより、バイアルの開口端が開いていてこれ以上結合構造体により栓をされない時に、バイアル内部の物質（ゲルのような）が内容積から押し出され添加器チップ内の通路を通過する。
【０００８】
柔軟な可塑性のバイアルを絞ることにより内部空間を狭め、それにより歯の白化組成物ゲルのような物質が、最も抵抗の少ない経路へ、即ち解放端に向かって押し出され、添加器チップ内の通路を通過する。さらに添加器チップ従ってバイアルの開口端を下方に向けることにより、重力が歯の白化組成物ゲルのような物質を解放端に向かって押し出す手助けをする。
【０００９】
柔軟なバイアルの物質は、いかなる所望の粘性の歯白化組成物ゲルでもよく、粘性の低い歯白化組成物ゲルに比べ白化される歯の表面により良く粘着するための比較的高粘性のゲルを含む。物質が歯の表面に送達される歯科の用途以外では、物質は体の他の部位に送達されうる。それはまた完全密封環境にあるための処方集を必要とする。例えば医薬用途は、皮膚病、火傷のような医学的疾患の治療のため外用薬又は軟化剤を皮膚表面に送達し、他の用途では薬剤が皮膚の孔を通って浸透する必要が有り、そして製剤は安定化目的のため完全密封室を必要とする。他の用途では、物質は代替治療薬、ハーブエキス、又は他の治療薬であり、又は、皮膚の着色及び／又は化粧目的に使用される。
【００１０】
従って本発明は、比較的小さな量のゲルを歯の表面のような治療領域に添加すること、口の中に指を入れなくても奥歯への簡単なアクセスを提供することについてさえ、必要性を述べている。実際本発明はバイアルの物質の空気密封を提供する必要性を満たし、そして、バイアルの物質を同等な空気密封で再密封することを可能にする。本発明はまた、ゲルを歯の表面のような治療域に均等に塗布することを可能にする。本発明はまた、バイアルの柔軟部分の手動の絞り出し終了後は製品物質が殆ど残らないように、バイアルの製品物質を投与する。本発明は容易に製作可能であり、比較的高い生産性で充填可能である。
【００１１】
本発明の他の局面は、補助又は添加を提供する歯医者のような専門家を必要としない歯の白化及び歯磨きシステムに向けられている。実施形態は投与器を含み、投与器は、絞り可能な容器又は流体コンテナと、流体通路を画定する添加器チップと、添加器チップの遠位端にある受け入れ面と、添加器チップを閉鎖し密封するキャップと、を有する。受け入れ面は、泡で例示されるように、しなやか又は順応性がある面である。絞り可能な容器又は流体コンテナの物質は、容器又は流体コンテナの中空の本体の両側の壁を一緒に非扁平な状態から扁平な状態に絞ることによる、手動の力の元で押し出される。受け入れ面は、多孔であって、容器又は流体コンテナの物質とは異なる材料で含浸されてもよく、あるいはこのような異なる材料を内蔵する室を覆っていてもよい。添加器チップは細長く、深く到達困難な治療対象の歯の表面にも到達可能な十分な長さを画定する。
【００１２】
例として、容器又は流体コンテナの物質は、その活性成分が過酸化水素、過酸化尿素からなる白化用化合物ゲルである。多孔の受け入れ面を含浸する他の材料は炭酸水素ナトリウム又は重炭酸ナトリウムのような固体粉末でよい。多孔の受け入れ面は、スポンジ状でよい。炭酸水素ナトリウム又は重炭酸ナトリウムは、多孔の受け入れ面が異なる材料を内蔵する室を覆う場合、ケーキ状でもよい。
【００１３】
ユーザが容器を絞る場合、その物質（例えば、歯の白化組成物ゲル）は流体通路を通過し（押し出されて通過し）受け入れ面に到達し、そこで物質は固体粉末と混合し、好適には泡を生成する。泡は、受け入れ面を歯の治療領域に対して押しつけ、そして白化ゲルを通常、絞るようなやり方で均等に添加することにより歯に添加される。  
【図面の簡単な説明】
【００１４】
本発明のよりよい理解のため、以下の説明と図が参照され、一方発明の要求範囲は特許請求の範囲に記載される。
【図１】本発明による投与器の第１の実施形態の鳥瞰図である。
【図２】ベースから外されたキャップと投与器チップを示す図１の分解組立図である。
【図３】ベースから外された投与器チップを示す図１の分解組立図である。
【図４】キャップが外された図１の投与器の正面鳥瞰図である。
【図５】図１の投与器のキャップの断面図である。
【図６】線６−６に沿った図１の投与器の断面図である。
【図７】図１の投与器のキャップの正面図である。
【図８】図１の投与器のキャップの側面図である。
【図９】図２の９−９に沿った図７のキャップの断面図である。
【図１０】内部を示すために部分的に取り外された、本発明による第２の実施形態の投与器の等角図である。
【図１１】図１０で示す投与器の展開等角図である。
【図１２】図１０の投与器の側面図である。
【図１３】図１０の投与器のバイアルの薄い部材の正面図である。
【図１４】図１０の投与器のバイアルの薄い部材の側面図である。
【図１５】図１０の投与器の一部の側面図である。
【図１６】図１０の投与器の添加器チップの平面図である。
【図１７】図１０の投与器の添加器チップの正面図である。
【図１８】キャップにより閉じられた充満した容器を有する、本発明による第２の実施形態の投与器の等角図である。
【図１９】キャップからの分離により開放された充満した容器を有する図１８の投与器の等角図である。
【図２０】図１８のキャップで閉じられた容器の長手方向断面図である。
【図２１】キャップを除いた、図１９の充満した容器の長手方向断面図である。
【図２２】物質を絞り出した後の平らな状態の図２１の容器の長手方向断面図である。
【図２３】図２１の充満した容器において、容器の内部を見えるように物質を除いた容器の長手方向断面図である。
【図２４】図２１の充満した容器の末端からの図である。
【図２５】添加器チップを示す図２４の充満した容器の反対側の末端から見た図である。
【図２６】受け入れチップの傾斜角を示す図２１の充満した容器と添加器チップの側面図である。
【図２７−２８】図２７は、本発明の更なる実施形態の空容器の等角図である。図２８は、柔らかいゴム状の添加チップを有する図２７の空容器の等角図である。
【図２９−３０】図２９は、図２７の空容器の平面図である。図３０は、柔らかいゴム状の添加チップを有する図２８の空容器の平面図である。
【図３１】図２９空容器の平面図であり、また、断面線３２−３２を示す。
【図３２】図３１の３２−３２での断面図である。
【図３３】図３１の容器の右側面図である。
【図３４】図３１の容器の後面図である。
【図３５】図３１の容器の前面図である。
【図３６】図３５でＢと示された部分の詳細図である。
【図３７】図３１の容器の等角図である。
【図３８】図２８と３０の柔らかいゴム状の添加チップの等角図である。
【図３９】図３８の実施形態における柔らかいゴム状の添加チップの正面図である。
【図４０】図３９の詳細図である。
【図４１】図３８の柔らかいゴム状の添加チップの平面図である。
【図４２】図３８の柔らかいゴム状の添加チップの底面から見た図である。
【図４３】図３８の柔らかいゴム状の添加チップの右側面図である。
【図４４】図３８の柔らかいゴム状の添加チップの左側面図である。
【図４５】図２８と図３０の容器を閉鎖するキャップを含む投与器の等角図である。
【図４６】図４５の投与器の平面図である。
【図４７】図４５の投与器の底面から見た図である。
【図４８】図４５の投与器の右側面図である。
【図４９】図４５の投与器の正面図である。
【図５０】図４５の投与器の左側面図である。
【図５１】フォームスポンジチップを有する本発明のフォームスポンジ添加チップの等角図である。（フォームスポンジを溝に挿入する前を示す）
【図５２】フォームスポンジを溝に挿入した後の図５１の実施形態のフォームスポンジ添加チップの等角図である。
【図５３−５４】図５３は、タブレット化された挿入物を有する本発明の添加器チップの等角図である。図５４は処理済み吸い取り紙を有する本発明の添加器チップの等角図である。
【図５５】すぐ充填出来るように組み立てられた状態での、本発明のキャップされた投与器の正面図である。
【図５６】熱密封された状態での、本発明のキャップされた投与器の正面図である。
【図５７】トリムされて最終製品となった状態での、本発明のキャップされた投与器の正面図である。
【発明を実施するための形態】
【００１５】
添付の図面を参照する。同じ参照番号は同一の又は類似の要素を示す。図１は本発明によるいかなるタイプの物質の投与にも使用可能な投与器１０の第１の実施形態の鳥瞰図である。投与器は物質を基質上に投与するのに理想的に適している。
【００１６】
投与器１０は通常、実質的に円形のベース１４とベース１４から外に伸長する突出部１６からなるバイアル１２を有する。ベース１４は物質２０を内蔵する空洞１８を有し、一方突出部１６は空洞１８と繋がる導管２２を画定する。詳細には、導管２２は空洞１８の出口通路２４と一直線に整列している。
【００１７】
ベース１４も環状のリム２６と空洞１８が画定される支持部２８を有する。突出部１６はリム２６から外側に伸長する。開口部３０は支持部２８とリム２６の対向する部分との間に配される。しかしながら開口部３０が無いようなベース１４の他の構成も想定される。
【００１８】
支持部２８は物質の適正量を保持するように設計される。バイアル１２が射出成型またはブロー成型工程により成型される場合、空洞１８が物質を２．５ｃｃまで内蔵できるようにすることが可能である。内部に物質を保持している時、空洞１８は貯蔵庫と見做すことができる。
【００１９】
投与器１０は、係止部３４と添加器部３６（図３参照）を持つ添加器チップ３２を有する。係止部３４は導管２２経由で空洞１８の出口通路２４に伸長している（図６参照）。階段３８が係止部３４と添加器部３６との間に画定され、そして添加器チップ３２が導管２２に挿入される時に突出部１６の正面端と境を接し、それにより添加器部３６が突出部１６の前に伸長する。（図２参照）
【００２０】
添加器チップ３２は１つ以上の内部通路を有し、空洞１８内に内蔵される物質がそこを通過して流れ、投与される。ある実施形態では、複数の内部通路、例えば３本の軸方向に伸長する平行な通路、が係止部３４内にあり、そして１本の内部通路４０が添加器部３６にあり、それは係止部３４内の全ての内部通路に連通している。
【００２１】
添加器部３６の１本の内部通路４０は、好適な実施形態では特定の断面形状を有し、それは１方向に長く伸長し、それと直角方向に短く伸長し、その２つの伸長は其々の約中間点で交差する。この形状は空洞１８からの物質の均等な投与を助ける。
【００２２】
添加器部３６は末端の添加面に複数の分離した突起４２を有し、それらの間に通路４０の一部を画定する（図４参照）。突起４２は好適には狭間を設けた指状部位からなり、即ち、指状部位の高さは変化し、各指状部位の先端はバイアル１２の長手軸に対し９０度以外の角度の仮想平面上にある。指状部位の間の空間４４の存在は添加器チップ３２の末端添加面での物質２０の保持を改善する。さらに、狭間を設けた指形状の突起４２とその間の空間との組合せは、物質２０、特に歯及び／又は歯肉への添加に使用される種々のゲルの保持を添加器チップ３２の末端添加面において改善し、そして物質２０の歯又は歯肉の表面にわたる分布を促進する。
【００２３】
投与器１０はまたキャップ４６を有し、キャップは空洞４８と、空洞４８に繋がる内側の開口部５０と、開口部５０方向に空洞４８内に伸長する密封止め５２からなる（図５、図７参照）。キャップ４６は実質的に円形で、バイアル１２に取り付けられ添加器部３６を覆う時に、投与器１０は数字の８の形をなす。
【００２４】
キャップ４６はバイアル１２に脱着可能に取り付けられる。取り付けられた場合、キャップ４６は添加器チップ３２の添加器部３６を空洞４８内に収容し、そして密封止め５２は添加器部３６の内部通路４０内に伸長する。添加器部３６の内部通路の密閉を可能にするため、密封止め５２は内部通路４０の断面形状にほぼ一致する特定の断面形状を有する。
【００２５】
使用に当ってキャップ４６はバイアル１２との係合から取り外され、そして支持部２８が把持され、そして空洞１８内の物体が絞られて添加器チップ３２の内部通路を通って、突起４２及び／又はその間の空間４４に追い立てられる。その後、投与器１０は、その物質で治療される基質、例えば、白化用組成物で治療される歯に突起４２が接触するように操作可能である。
【００２６】
投与器１０は種々の材料及び工程から製作可能である。上記のようにベース１４は、射出成型又はブロー成型可能な可塑性材料、例えばポリプロピレンから射出成型又はブロー成型を使用して作成可能である。添加器チップ３２は、シリコンのような弾性材料から作成され、ベースの導管に挿入可能なように適切な物理特性を与えられてもよい。例えば、添加器チップ３２の係止部３４の断面形状及び寸法は、突出部１６の導管２２内に摩擦適合するように選択されてもよい。さらに従前のバイアル１２の構成により、使用者が支持部２８を押すと物質２０が投与されるが、その後使用者が圧力を緩めた時に、物質２０は空洞１８に戻されることはない。
【００２７】
添加器部３６用に選択される特定の材料は、投与される物質及び物質が投与される基質に依存する。例えば、物質が歯の白化用組成物又は歯又は歯肉に適用される他の材料である場合、歯又は歯肉の損傷を防ぐため、添加器部３６は好適には柔らかいゴム状の材料から作られる。
【００２８】
バイアル１２及びキャップ４６は、脱着可能にキャップ４６をバイアル１２に、詳細にはベース１４に固定するための協働する固定機構を有する。
図２に示すように、固定機構は、ベース１４の対向する上面と下面に形成された１組の反対側に曲がった隆条５４、及び隆条５４を受容するためキャップ上に形成された孔を有する（図７−９も参照）。しかし固定機構は、ベース１４上の単一の隆条と、隆条の後ろ向き面に隣接するように位置決めされたキャップ４６の部分の隣接面と、を有し、それにより、バイアル１２のキャップ４６に対する後ろ向きの動きを防止し、それにより隆条を隣接する面の下に押し込める手動の力が加えられない場合に、バイアル１２とキャップ４６が互いに脱落するのを防止してもよい。
【００２９】
次に本発明の第２の実施形態の投与器５８を示す図１０−１７を参照する。投与器５８は概してバイアルの構成において投与器１０と異なる。投与器５８はバイアル６０と添加器チップ７０を有する。バイアル６０は物質６４が内蔵される空洞６２と絞り出し部位６６からなり、絞り出し部位６６は絞られると物質６４を空洞６２から内部の投与導管６８に押し出す。物質は添加器チップ７０上に押し出され、また添加器チップ７０は物質が投与される基質に接触するように移動可能である。投与器５８には前記実施形態と同じキャップ４６が使用され、そして脱着可能にバイアル６０に取り付けられ、そして投与導管６８を閉鎖する。
【００３０】
より詳細には、バイアル６０は実質的に円形の部分７２と円形の部分７２から外側に伸長する導管７４を有し、導管７４は内部通路６８の一部を画定する。導管７４は実質的に楕円の断面形状を有する。円形の部分７２は円形の部分７２の円周端の一部に沿って支持部位７６及び弓状の支持リム７８を有する。弓状の支持リム７８は支持部位７６の反対側に接続し、円形の部分７２の残りの円周端にわたって伸長し、それにより円形の部分７２の円形形状が完成する。内部通路６８の残りの部分は支持部位７６の内部に画定される。横断支持体８０は支持部位から支持リム７８の反対側内端に伸長し、それにより開口領域８２，８４，８６を支持部位７６、支持リム７８および横断支持体８０の間に画定する。
【００３１】
図示されているように、内部通路６８は水平方向の軸８８が垂直方向の軸９０よりも大きい特定の断面形状を有する（図１１参照）。しかし内部通路６８の断面形状は、バイアル６０の絞り部位６６の対向面に圧を加えた時に、内部通路を通る空洞６２内の物質の流れを容易にする必要性だけで変更されてもよい。
【００３２】
バイアル６０の円形の部分７２はまた、１組の部分的に柔軟な部材９２を有し、それらはそれぞれ支持リム７８の各々の側に配置され、そして支持部位７６に取り付けられて空洞６２を形成する。空洞６２はこのように２つの柔軟な部材９２の内面と横断支持体８０の間に形成される。
【００３３】
それぞれの柔軟な部材９２は、上から見た時に、支持リム７８の形状に実質的に適合する形状、即ち、三日月形を有する。従って支持部位７６及び／又は支持リム７８に取り付けられた時には、それら柔軟な部材９２はその間に間隙が無く、実質的に支持部位７６と同一平面上にある。さらに各々の柔軟な部材９２は実質的に平面の第１及び第２のフランジ部位９４と、フランジ部位９４の間にあってフランジ部位９４が配置される平面から外側に伸長する弓状部位９６を有する（図１３参照）。支持部位７６及び／又は横断支持体８０に取り付けられた時には、第１及び第２のフランジ部位９４はそれぞれの横断支持体８０と支持リム７８の隣接する部位の間にそれぞれ配置され、弓状部位９６は、横断支持体８０の間に配置されて外側に伸長する。
【００３４】
柔軟な部材９２の弓状部位９６は、柔軟又は互いの方向に絞ることが可能なように構成され、それにより絞られた時に物質６４が空洞６２からそれと連通する内部通路６８に押し出され通過する。柔軟な部材９２は好適には横断支持体８０に接触し、それにより空洞６２からの横断支持体８０周りの物質６４の流れが、柔軟な部材９２のフランジ部位９４の間に画定されるバイアル６０の円形の部分７２のフランジ領域に侵入することを防止する。
【００３５】
柔軟な部材９２は、対向する実質的に円形の表面をバイアル６０の円形の部分７２に提供し、その表面は互いの距離が変化し、即ち、フランジ部位９４の領域の距離は弓状部位９６の距離より小さく、そして円形表面の対向する部位の間に空洞６２を形成する。さらに円形表面は、図１３に示すように、円形の部分７２の横方向端（即ち、フランジ部位９４の端）が低位点で、円形部分の中心（即ち、弓状部位９６の中心）が高位点の波形状を有する。円形表面は高位点と低位点の間で緩やかなスロープをなす。
【００３６】
添加器チップ７０は細長くそして導管７４を覆って配置され、導管７４上で締まりばめされる。添加器チップ７０は図示されるように導管７４と実質的に同じ断面形状、即ち、楕円形を有してもよい。添加器チップ７０の遠位端は基質に接触するように適応された突起９８を有する。添加器チップ７０は、添加器チップ７０の突起９８を含む一部が導管７４の軸方向の端部を超えて伸長するように導管７４上にオーバーモールド成型されてもよい。
【００３７】
突起９８は、図１７に図示されるように、物質６２を基質上にブッシュのように、散布さえするように配置された狭間を設けた指の形状でもよい。狭間を設けた指状部位は２つ以上の楕円形又は円形の列を形成し、隣接する列の１組は通路１００により分離されているように配置されてもよい。突起９８と通路１００は、物質６２が基質への添加の準備が整った状態で保持される保持領域を協働して画定する。
【００３８】
図１５に示す好適な実施形態では、突起９８は、添加器チップ７０の一方の側での最大軸方向長さから添加器チップ７０の他方の側での最小軸方向長さまで変化する軸方向長さを有する。
上記の要素を形成するのに種々の材料が使用可能である。例えば、バイアル６０の円形の部分７２は高密度ポリエチレン（ＨＤＰＥ）からなり、フランジ部位９４は膜又は箔からなり、添加器チップ７０はシリコンのような柔らかな材料から作られてもよい。
【００３９】
基質上に投与器１０、５８によって投与することが可能な物質は、限定されないが、歯磨き剤の歯への投与、白化ゲルの歯への投与、歯の除感作剤の歯への投与、外用化合物の皮膚への投与、医薬的皮膚用製品の皮膚への投与、及び、接着剤の他の面との接着面への投与を含む。
【００４０】
図１８−５７を参照して本発明の他の実施形態が開示される。この実施形態は、容器又は流体コンテナ１２０から伸長する添加器チップ１２６を覆い密封するキャップ１１０を有する。キャップ１１０には横穴１１６が形成され、横穴はキャップ１１０がしめられた状態の時同一形状のつまみ１３８と係合し、そしてキャップ１１０を保持する助けをする。図２０を参照すると、添加器チップ１２６とキャップ１１０との係合構造がストッパー１１２と密封押縁１１８を有し、それらは係合状態で互いに協働して添加器チップ１２６をキャップ１１０で密封する。これを実施するため、ストッパー１１２は受け入れ面１４０内の開口部を通過し、係合状態に至る。キャップ１１０はストッパー１１２を有し、添加器チップ１２６は密封押縁１１８を有する。
【００４１】
添加器チップ１２６は細長で多孔な受け入れ面１４０がある遠位端で終わる。受け入れ面１４０は泡状またはスポンジの材料で作られる。受け入れ面１４０は白化剤１４４（図２０）を治療中の歯の表面に均等に添加するのに使用され、また追加的に歯の表面を優しくこすり洗いするのにも使用可能である。
【００４２】
図２０ではストッパー１１２は多孔な受け入れ面１４０を通過し、容器又は流体コンテナ１２０の本体から外に伸長する流体通路１３２を密封する。密封押縁１１８はキャップ１１０と環状型の密封を提供し、容器又は流体コンテナ１２０の中身の漏洩を防止する。
【００４３】
図２１を参照すると、容器又は流体コンテナ１２０は矢印Ｆの方向に絞られる。しかし絞りは他の部位でも起こってもよく、また絞りは２つの対向する側からの圧力を必要とせず、片側からの圧力で十分なこともある。白化剤（又は、他の用途では対応する調剤）は添加器チップ１２６の流体通路１３２及び通路１４８を通って押し出され、通路１４８において白化剤は炭酸水素ナトリウムと混合し反応物質１４６を生成し、その反応物質が多孔の受け入れ面１４０に到達する。
【００４４】
図２２を参照して、容器又は流体コンテナ１２０が手動の絞り圧力により扁平にされ、殆ど全ての中身が内部容積１５０から排出されうることがわかる。側面１５６はバルクヘッド１５２の形状にほぼ合致する。さらに残りの流体を容器内部１５０から排出させるつまみ１３８が備わっている。
【００４５】
図６は添加器チップ１２６を流体コンテナ側面１５６に取り付けるバルクヘッド１５２を示し、バルクヘッドは楔形で、側面１５６をドレープさせる。
図２４，２５は添加器チップ１２６の付いた容器又は流体コンテナ１２０を対向する端から見た図を示す。側面１５６（図２３）は側壁の無い鋭い合わせ目となり、側面が扁平につぶれるのを許容する。
【００４６】
図２６を参照して、活性化した反応物質を受け入れ面１４０に最適に添加するための受け入れ面１４０の傾斜角Ｂは、好適には約３０度―４５度の範囲にある。つまり、反応物質は表面を絞ることにより活性化し、それにより白化剤の物質（例えば過酸化水素、又は他の用途には他の物質）を添加器チップ１２６を通って容器又は流体コンテナ１２０内に移動させ、含浸させられた吸収剤、受け入れ面１４０（炭酸水素ナトリウム、重曹、又は他の用途用の他の基剤で含浸され、）上に蓄積させられる。
所望の場合、歯磨きに適した成分のような追加の成分が効能の追加のため追加可能である。
【００４７】
図２７及び図２９に、更なる投与器の実施形態を示す。その投与器は一体形成された堅いサブ構造体１６２を有する容器１６０からなる。図２８と図３０には図２７及び図２９の容器１６０を含み、そして固いサブ構造体１６２上に固定される、輪郭を示された、柔らかい、ゴム状の添加チップ１７２が含まれる。輪郭を示された、柔らかい、ゴム状の添加チップ１７２はゲルが歯の表面にゴム雑巾のように、散布と言える程に塗布されることを可能にし、またその柔らかさは、固い材料で起こりがちな歯肉又は歯（又は他の用途では皮膚等）の傷付を防止する助けとなる。
【００４８】
固いサブ構造体１６２は、固いサブ構造体１６２の細長い方向に伸長する中央管１６４を有して細長くてもよい。中央管の両側には、固いサブ構造体１６２の細長い方向に伸長する互いに実質的に平行な一連の分離した通路１６６が形成されてもよい。
【００４９】
図３０−３１には、容器１６０の構造が詳細に示されている。固いサブ構造体６２は好適には中央管１６４に向かってその対向端から幅が広がっており、それにより分離した通路１６６により折れ曲がった楕円形の外形を画定する（図３６参照）。
図３８−４４には、輪郭を示された、柔らかい、ゴム状の添加チップ１７２の構造の詳細が示される。輪郭を示された、柔らかい、ゴム状の添加チップ１７２は一方の端の溝１７４と、２つの対称な脚１７８を分かつスロット１７６を有する。輪郭を示された、柔らかい、ゴム状の添加チップ１７２の形状は、溝１７４から溝に近い位置まで外側に広がり、その後対称な脚１７８に沿って終端まで収束又は先細りとなる。対称な脚１７８は互いに分離した窪み１７９を有してもよい。
図３５−５０にはキャップ１８０で閉められた状態の投与器１７０の詳細が示される。キャップ１８０は図４２の対称な脚１７８及びスロット１７６を補完する構造で形成され、それにより投与器１７０を係止し密封する。
【００５０】
図５１−５２には、炭酸水素ナトリウム処理されたスポンジフォームのパッド１９０を添加器チップ２００に取り付ける好適な実施形態が示される。スポンジフォームのパッド１９０は炭酸水素ナトリウム溶液に浸漬され乾燥された型抜き連続気泡発泡ゴムから形成されてもよい。この処理済みスポンジフォームパッド１９０はその後、添加器チップ２００の末端の溝２１２に接着剤又はヒートシーリングにより取り付けられる。スポンジフォームパッド１９０は、添加中、大量の処理済みゲルを排出したり滑り落ちたりすること無く添加器チップ２００に保持する。このことは、より厚いより均等な被覆を可能にする。
【００５１】
或いは図５３に示すように、添加器チップ２００は、粉状の又は錠剤型のタブレット型の炭酸水素ナトリウムを捕捉する錠剤型インサート２２０の形状での追加のリブを有してもよい。錠剤型インサート２２０は、添加器チップ２００の終端の補完形状の通路２２２内に固定される。
或いは、処理済み吸い取り紙材料２３０（図５４参照）が図５１−５２の添加器チップ２００のスポンジフォームパッド１９０のスポンジ材料を代替してもよい。このことは、全周を密封することにより大量の粉を添加器チップ２００の溝に捕捉する手段を提供し、それによりカバーを形成する。
【００５２】
図５５−５７には、投与される物質を投与器１７０に充填する過程が示される。最初は投与器１７０とキャップ１８０は別々に形成され、投与器１７０の対向する両端は開いている。開放端の一方がキャップ１８０により閉じられ密封される。これにより図５５に示すように組立体は充填準備が完了する。投与器に投与される物質が解放端を通って充填された後、図５６に示すように開放端はヒートシーリングにより（ヒートシーリング領域２３０の中で）周辺から内側に向かって閉鎖される。ヒートシーリングと周囲縁との間の投与器の部位は、図５７の完成品を得るため切り落とされてもよい（トリム領域２３２）。
【００５３】
本発明のこの実施形態の添加器は歯の白化又は歯磨き用以外に使用可能である。例えば、次の用途が考えられる：皮膚治療塗り薬を送達することによる皮膚科学用途；エポキシ、シーラントのような接着剤、医薬療法、薬品及び薬剤；自然療法外用薬；その他。
【００５４】
上記の記述及び図面は本発明の好適な実施形態を示しているが、種々の変更、修正が本発明の請求範囲を超えることなく可能であることが理解されよう。
【符号の説明】
【００５５】
１０：投与器    １２：バイアル  １４：ベース    １６：突出部    
１８：空洞      ２０：物質      ２２：導管      ２４：出口通路    
２６：リム      ２８：支持部    ３０：開口部    ３２：添加器チップ
３４：係止部    ３６：添加器部  ３８：階段      ４０：内部通路  
４２：突起      ４４：空間      ４６：キャップ  ４８：空洞
５０：開口部    ５２：密封止め  ５４：隆条  
【図１】
0005339650.tif 000002
【図２】
0005339650.tif 000003
【図３】
0005339650.tif 000004
【図４】
0005339650.tif 000005
【図５】
0005339650.tif 000006
【図６】
0005339650.tif 000007
【図７】
0005339650.tif 000008
【図８】
0005339650.tif 000009
【図９】
0005339650.tif 000010
【図１０】
0005339650.tif 000011
【図１１】
0005339650.tif 000012
【図１２】
0005339650.tif 000013
【図１３】
0005339650.tif 000014
【図１４】
0005339650.tif 000015
【図１５】
0005339650.tif 000016
【図１６】
0005339650.tif 000017
【図１７】
0005339650.tif 000018
【図１８】
0005339650.tif 000019
【図１９】
0005339650.tif 000020
【図２０】
0005339650.tif 000021
【図２１】
0005339650.tif 000022
【図２２】
0005339650.tif 000023
【図２３】
0005339650.tif 000024
【図２４】
0005339650.tif 000025
【図２５】
0005339650.tif 000026
【図２６】
0005339650.tif 000027
【図２７−２８】
0005339650.tif 000028
【図２９−３０】
0005339650.tif 000029
【図３１】
0005339650.tif 000030
【図３２】
0005339650.tif 000031
【図３３】
0005339650.tif 000032
【図３４】
0005339650.tif 000033
【図３５】
0005339650.tif 000034
【図３６】
0005339650.tif 000035
【図３７】
0005339650.tif 000036
【図３８】
0005339650.tif 000037
【図３９】
0005339650.tif 000038
【図４０】
0005339650.tif 000039
【図４１】
0005339650.tif 000040
【図４２】
0005339650.tif 000041
【図４３】
0005339650.tif 000042
【図４４】
0005339650.tif 000043
【図４５】
0005339650.tif 000044
【図４６】
0005339650.tif 000045
【図４７】
0005339650.tif 000046
【図４８】
0005339650.tif 000047
【図４９】
0005339650.tif 000048
【図５０】
0005339650.tif 000049
【図５１】
0005339650.tif 000050
【図５２】
0005339650.tif 000051
【図５３−５４】
0005339650.tif 000052
【図５５】
0005339650.tif 000053
【図５６】
0005339650.tif 000054
【図５７】
0005339650.tif 000055